(57)【要約】【課題】ピンの出入りにより押圧力を調整できると共に、指圧具のレイアウトを自由に設定でき、取付板の大きさや形も自由にでき、目的に応じた使用ができ、かつゲルマニュームによる指圧材やヒーター、バイブレーターにより、効果的に指圧を行うことができる指圧器を提供する。【解決手段】弾性体にて出入り自在に形成してなるピンを設けた指圧具本体を、取付板に複数設けてなることを特徴とする。【選択図】  図１
2004216093.tif 000002
【特許請求の範囲】
【請求項１】
弾性体にて出入り自在に形成してなるピンを設けた指圧具本体を、取付板に複数設けてなることを特徴とする指圧器。
【請求項２】
指圧具本体を、取付板の穴に着脱自在に取り付けてなることを特徴とする請求項１記載の指圧器。
【請求項３】
指圧具本体の外周に雄ネジ部を設けると共に、取付板の穴に雌ネジ部を設けてなることを特徴とする請求項２記載の指圧器。
【請求項４】
取付板を、複数の連結取付板に分割し、必要に応じて組合せてなることを特徴とする請求項１、２又は３記載の指圧器。
【請求項５】
ピンの先端にゲルマニュームによる指圧材を設けてなることを特徴とする請求項１、２、３又は４記載の指圧器。
【請求項６】
取付板に、椅子等に取り付ける係止片を設けてなることを特徴とする請求項１、２、３、４又は５記載の指圧器。
【請求項７】
指圧具本体あるいは取付板に熱源及び／またはバイブレーターを設けてなることを特徴とする請求項１、２、３、４、５又は６記載の指圧器。
【発明の詳細な説明】
【０００１】
【発明の属する技術分野】
本発明は、必要に応じて組立て可能で、ピンの出入りにより自分に合った押圧力で指圧効果を得ることのできる指圧器に関するものである。
【０００２】
【従来の技術】
従来の技術としては、長手方向に湾曲形成した支持板の裏面側にその長手方向に沿って延びる収納溝をほぼ平行に２本形成し、その収納溝の底面に収納溝より幅狭のガイド孔を収納溝のほぼ全長にわたって形成し、指圧用の押圧部材を前記ガイド孔を貫通するねじと収納溝内に収納される回り止め部とを介してガイド孔に沿って移動可能に前記支持板の表面側に取り付けたことを特徴とする背もたれがある。（特許文献１参照）
【０００３】
【特許文献１】
特開２００２−２８０４７号公報
【０００４】
【発明が解決しようとする課題】
上記のような背もたれは、押圧部が収納溝に沿って上下動するもので、縦方向の使用範囲に限定されるものである。
また、本発明のような指圧具本体を取付板の穴に取り付けて、自分に合うツボのレイアウトができない。
さらに、取付板を複数に分割し、必要に応じて組合せることにより、多目的に使用できるという機能は有していない。
【０００５】
本発明は、上記の問題点に鑑みなされたもので、ピンの出入りにより押圧力を調整できると共に、指圧具のレイアウトを自由に設定でき、取付板の大きさや形も自由にでき、目的に応じた使用ができ、かつゲルマニュームによる指圧材やヒーター、バイブレーターにより、効果的に指圧を行うことができる指圧器を提供するものである。
【０００６】
【課題を解決するための手段】
上記課題を解決するための手段として、弾性体にて出入り自在に形成してなるピンを設けた指圧具本体を、取付板に複数設けてなること。また、指圧具本体を、取付板の穴に着脱自在に取り付けてなること。指圧具本体の外周に雄ネジ部を設けると共に、取付板の穴に雌ネジ部を設けてなること。さらに、取付板を、複数の連結取付板に分割し、必要に応じて組合せてなること。ピンの先端にゲルマニュームによる指圧材を設けてなること。さらにまた、取付板に、椅子等に取り付ける係止片を設けてなること。その上、指圧具本体あるいは取付板に熱源および／またはバイブレーターを設けてなることを特徴とする。
【０００７】
【発明の実施の形態】
以下、本発明の指圧器について図面に基づいて説明する。
１は、指圧器である。
２は、コイルスプリングによる弾性体２ａにて出入り自在に形成してなるピン２ｂを設けてなる指圧具本体で、ピン２ｂの先端にゲルマニュームによる指圧材２ｃを設けてなる。
３は、上記指圧具本体２を複数個取り付けてなる取付板で、複数の穴３ａを穿設してある。
なお、材質的にはプラスチック製で軟質性あるいは硬質性（アルミニューム・ステンレス製等）どちらでもよい。
また、穴３ａの底面に上記弾性体２ａの下端を固着してなるものである。
４は、椅子等（自動車用椅子、家庭用椅子等）に取り付けるＬ字形の係止片で、必要に応じて設ければよい。
【０００８】
上記指圧器１の使用例について説明する。
例えば、椅子（図示せず）の上部や風呂の上部外周縁等に係止片４・４を引っ掛けて使用するもので、背中をピン２ｂに当て、後方へ移動することにより弾性体２ａが圧縮され、適度な反力により指圧効果を得ることができる。
なお、先端のゲルマニュームによる指圧材２ｃによるイオン浸透効果により、生体電流を整え、コリや痛みを解消し、自然治癒力のアップ、免疫力を高めるなど、健康増進に効果を有するものである。
【０００９】
指圧器２１は、取付板２３の穴２３ａに指圧具本体２２を着脱自在に設けてなるもので、コイルスプリングによる弾性体２２ａとピン２２ｂとゲルマニュームによる指圧材２２ｃとからなる指圧具本体２２を円筒状のケース２２ｄ内に設けてなるものである。
なお、抜け止め用のアンカー部２２ｂ１を設けてある。
また、穴２３ａに雌ネジ部（図示せず）を、ケース２２ｄの外周に雄ネジ部（２点鎖線参照）を設け、ねじ込んで取り付けてもよい。
この指圧器２１は、必要な穴２３ａに指圧具本体２２を取り付けることにより自分に合った必要なツボに対して押圧でき、効果的な指圧を行うことができる。
【００１０】
指圧器３１は、取付板３３を複数の連結取付板３３ｂに分割し、必要に応じて組合せてなるもので、連結取付板３３ｂは上下に凸片３３ｂ１を、左右に凹片３３ｂ２を形設すると共に、穴３３ａあるいは着脱自在な指圧具本体３２を設けてなるもので、凸片３３ｂ１と凹片３３ｂ２を連結させることにより組み立てることができるものである。
【００１１】
また、別の形態として、指圧器４１は、取付板４３を複数の連結取付板４３ｂに分割し組合せてなるもので、連結取付板４３ｂの上下左右に２本のピン４３ｂ１を突設すると共に、穴４３ａあるいは着脱自在な指圧具本体４２を設けてなるもので、ゴム製等による伸び縮みする連結板４３ｃをピン４３ｂ１に差し込んで各連結取付板４３ｂを連結してなる。
この指圧器４１は、体（背中等）にフィットし易く、必要な部位のみ組み立てて使用できるものである。
【００１２】
指圧器５１は、取付板５３に、上記と同様な指圧具本体５２を設け、指圧具本体５２のゲルマニュームによる指圧材５２ｃの下面に棒状ヒーターによる熱源５を設けてなるもので、加熱（約４０℃〜約１００℃）することにより、より多くのマイナスイオン及び遠赤外線を放射させることができ、より内部に浸透し、生体電流を整え、コリや痛みを解消できるものである。
【００１３】
指圧器６１は、取付板６３の裏面にバイブレーター６を設けてなるもので、バイブレーター６を作動させることにより取付板６３が振動し、必然的に指圧具本体６２が振動し、指圧効果を高めるものである。
【００１４】
なお、上記各実施例において取付板、連結取付板の大きさは特に限定しない。また、指圧具本体の数や取付孔の穴の数は、必要に応じて設定すればよく、使用部位も背中、腰、頭部等、限定することなく使用でき、各種椅子やベッドに敷設して使用することもできる。
さらに、指圧具本体の弾性体もコイルスプリングに限定することなく、同様な機能であれば他のものでもよい。
さらにまた、熱源もヒーターに限定しない。
【００１５】
【発明の効果】
（１）、ピンの出入りにより押圧力を調整でき、自分に合った力で指圧をすることができる。
（２）、指圧具本体を取付板の穴に着脱自在に取り付けることができるため、自分に合った必要なツボに対して押圧することができ、効果的な指圧を行うことができる。
（３）、連結取付板により、必要な大きさの取付板を形成でき、必要な部位（ツボ）に使用できる。
（４）、ゲルマニュームによる指圧材によるイオン浸透効果等によりコリや痛みを解消する。
（５）、係止片により、椅子や風呂の背もたれ等に簡単に取り付けられる。
（６）、熱源及び／またはバイブレーターを使用することにより、より一層指圧効果を高めてなる。
【図面の簡単な説明】
【図１】本発明の第１実施例による指圧器の斜視図。
【図２】本発明の第１実施例による指圧器の要部の一部縦断側面図。
【図３】本発明の第２実施例による指圧器の要部の一部縦断側面図。
【図４】本発明の第２実施例による指圧器の指圧具本体の斜視図。
【図５】本発明の第３実施例による指圧器の要部の正面図。
【図６】本発明の第４実施例による指圧器の要部の正面図。
【図７】本発明の第４実施例による指圧器の連結取付板の側面図。
【図８】本発明の第５実施例による指圧器の要部の一部縦断側面図。
【図９】本発明の第６実施例による指圧器の側面図。
【符号の説明】
１―――指圧器
２―――指圧具本体
２ａ――弾性体
２ｂ――ピン
２ｃ――指圧材
３―――取付板
３ａ――穴
４―――係止片
【図１】
2004216093.tif 000003
【図２】
2004216093.tif 000004
【図３】
2004216093.tif 000005
【図４】
2004216093.tif 000006
【図５】
2004216093.tif 000007
【図６】
2004216093.tif 000008
【図７】
2004216093.tif 000009
【図８】
2004216093.tif 000010
【図９】
2004216093.tif 000011